(57)【要約】【課題】確実且つ効率よく情報受給者に関する情報を収集できることを課題としている。【解決手段】サーバ装置Ｐ２とコンピュータネットワークを介して接続された情報受給者装置Ｐ１に対して情報を提供する情報提供方法において、情報受給者装置Ｐ１から送信された電子メールを受信する電子メール受信ステップと、この電子メールの受信を契機に、情報受給者情報の収集に関するサイトへリンクを張ったＵＲＬを記載した電子メールを、前記情報受給者装置Ｐ１に送信する電子メール送信ステップと、情報受給者情報を収集したことを確認する情報受給者情報収集確認ステップと、前記情報受給者情報の収集確認後、情報提供者が提供する情報を送信する提供情報送信ステップとを具備することを特徴とする。【選択図】図３
2004030230.tif 000002
【特許請求の範囲】
【請求項１】
サーバ装置とコンピュータネットワークを介して接続された情報受給者装置に対して情報を提供する情報提供方法において、
情報受給者装置から送信された電子メールを受信する電子メール受信ステップと、この電子メールの受信を契機に、情報受給者情報の収集に関するサイトへリンクを張ったＵＲＬを記載した電子メールを、前記情報受給者装置に送信する電子メール送信ステップと、情報受給者情報を収集したことを確認する情報受給者情報収集確認ステップと、前記情報受給者情報の収集確認後、情報提供者が提供する情報を送信する提供情報送信ステップとを具備することを特徴とする情報提供方法。
【請求項２】
情報受給者装置の機種を識別する識別ステップと、前記識別ステップにより識別された機種の表示形式に合わせた情報を送信する送信ステップとを具備することを特徴とする請求項１記載の情報提供方法。
【請求項３】
前記情報受給者に関する情報収集をアンケート形式で行うことを特徴とする請求項１または２記載の情報提供方法。
【請求項４】
コンピュータネットワークを介して接続された情報受給者装置に対して情報を提供するサーバ装置において、
情報受給者装置から送信された電子メールを受信する電子メール受信手段と、この電子メールの受信を契機に、情報受給者情報の収集に関するサイトへリンクを張ったＵＲＬを記載した電子メールを、前記情報受給者装置に送信する電子メール送信手段と、情報受給者情報を収集したことを確認する情報受給者情報収集確認手段と、前記情報受給者情報の収集確認後、情報提供者が提供する情報を送信する提供情報送信手段とを具備することを特徴とする情報提供用サーバ装置。
【請求項５】
情報受給者装置の機種を識別する機種識別手段と、前記機種識別手段により識別された機種の表示形式に合わせた情報に変換する変換手段とを具備することを特徴とする請求項４記載の情報提供用サーバ装置。
【請求項６】
前記情報受給者に関する情報収集をアンケート形式で行うことを特徴とする請求項４または５記載の情報提供用サーバ装置。
【請求項７】
コンピュータを機能させるためのプログラムにおいて、
前記コンピュータを、情報受給者装置から送信された電子メールを受信する電子メール受信手段と、この電子メールの受信を契機に、情報受給者情報の収集に関するサイトへリンクを張ったＵＲＬを記載した電子メールを、前記情報受給者装置に送信する電子メール送信手段と、情報受給者情報を収集したことを確認する情報受給者情報収集確認手段と、前記情報受給者情報の収集確認後、情報提供者が提供する情報を送信する提供情報送信手段として機能させるための情報提供用プログラム。
【請求項８】
コンピュータを機能させるためのプログラムにおいて、
前記コンピュータを、情報受給者装置の機種を識別する機種識別手段と、前記機種識別手段により識別された機種の表示形式に合わせた情報に変換する変換手段として機能させるための請求項７記載の情報提供用プログラム。
【請求項９】
コンピュータを機能させるためのプログラムにおいて、
前記コンピュータを、前記情報受給者に関する情報収集をアンケート形式で行うように機能させるための請求項７または８記載の情報提供用プログラム。
【発明の詳細な説明】
【０００１】
【発明の属する技術分野】
本発明は、携帯電話などの情報受給者装置に対して情報提供を行う際に好適に利用されるものである。
【０００２】
【従来の技術】
近時、携帯電話の利用者の増加に伴い、携帯電話向けのインターネット上のサイトを開設する企業が増えてきている。これらの企業の多くは、このような携帯電話を持つ者が希望する有用な情報を発信するとともに、サイトにアクセスしてきた情報受給者に関する情報を収集すべく、アンケートを実施するなどの工夫を凝らしている。例えば、そのサイト上にアンケートに答えると商品が当たる仕組みなどを施して、情報受給者にアンケートの回答を促している。
【０００３】
一方、サイトに掲載されている情報を入手したいと希望する情報受給者は、携帯電話を用いて、インターネットに接続した後、画面上に表示されるメインメニューから順次目的とするメニュー項目をたどって行くか、または希望するサイトのＵＲＬを直接入力する。
【０００４】
【発明が解決しようとする課題】
しかし、メインメニューには多数のサイトが登録されており、希望のサイトがどの項目に登録されているのか分からない場合も多い。また、メインメニューに登録されていないサイトなどはＵＲＬを入力しなければならないが、一般にＵＲＬは文字列が長いため憶えるのが困難であり、入力作業も面倒である。そのため、携帯電話からのサイトへのアクセスは、情報受給者にとってかなり不便なものとなっている。
【０００５】
更に、情報受給者がサイトに訪れたとしても、そのサイトに掲載されている提供情報の入手のみを行い、アンケートに回答しない場合も多く、サイト運営者が希望する情報受給者情報を得ることができない場合も多々ある。
【０００６】
そこで、本願発明においては上記のような不具合を一掃し、確実且つ効率よく、情報受給者に関する情報を収集できることを課題としている。
【０００７】
【課題を解決するための手段】
そこで本発明は、上記課題を解決するために、情報受給者からの電子メールを受信することにより、情報受給者情報を収集するためのサイトへリンクを張ったＵＲＬと記載した電子メールを情報受給者に送信する。そして、情報受給者情報の収集を確認したことを条件にして、情報受給者の希望する情報を提供するようにしている。
【０００８】
これにより、情報受給者にとって面倒なＵＲＬの入力などの手間を省き、メールを送信するという簡易な動作のみで希望するサイトへのアクセスを可能とすることで、情報受給者がそのサイトへ訪れる機会を飛躍的に増加させる。そして、必ず情報受給者に関する情報を集められるサイトを通過させることにより、確実且つ効率よくサイト運営者にとって有用な情報を収集できるようにしている。
【０００９】
また、具体的な態様として、情報受給者装置の機種を識別する識別し、その機種の表示形式に合わせた情報を送信することも考えられる。
【００１０】
これにより、情報受給者にとって見やすく情報を提供することができるようにしている。
【００１１】
更に、前記情報受給者に関する情報収集をアンケート形式で行うことで、効率よく情報を収集できるようにしている。
【００１２】
【発明の実施の形態】
以下、本発明の一実施の形態について図面を参照して説明する。
【００１３】
本発明における情報提供方法は、例えば、飲食店などを経営する各種企業が、自社広告やクーポン情報などを消費者等に向けて提供すると共に、消費者の嗜好やニーズに関する情報を収集するために利用されるものである。この企業などの情報提供者側に設置される情報提供者装置Ｐ３は、情報提供用のサーバ装置Ｐ２とコンピュータネットワークを介して接続されており、このサーバ装置Ｐ２において複数の情報提供者に関する提供情報等を一手に管理している。そして、このサーバ装置Ｐ２に携帯電話などの携帯端末を用いてアクセスしてくる情報受給者に対して、その情報受給者の興味のある情報を提供したり、アンケート等を回収してその情報受給者に関する情報を収集できるものである。
【００１４】
図１は、この実施の形態におけるサーバ装置Ｐ２を含む全体システムを示した構成図である。図１において、Ｐ１は情報受給者の用いる情報処理装置たる情報受給者装置Ｐ１である。この情報受給者装置Ｐ１は、本実施形態では、入力部、表示部、ＣＰＵ、メモリ、通信インターフェース等を備えたネットワークＮに接続可能な携帯電話であるが、いわゆるパーソナルコンピュータや携帯端末等でも構わない。
【００１５】
Ｐ２は、サーバ装置管理者が用いる情報提供用のサーバ装置Ｐ２であり、例えばルータ等の経路制御装置を介してネットワークＮに接続している。また、図２に示すように、キーボード１０１、マウス１０２、ディスプレイ１０３、ＣＰＵ１０４，内部メモリ１０５、ＨＤ等の外部記憶装置１０６、通信インターフェース１０７等の機器構造を備えている。そして、このような機器構成を利用して、メール配信機能やメール管理機能を具備するメールサーバ機能やＷＥＢサーバ機能やデータベース機能等を営むものである。
【００１６】
Ｐ３は、情報提供者の用いる情報処理装置である情報提供者装置Ｐ３である。この情報提供者装置Ｐ３は、例えばネットワークＮに接続してあるいわゆるパーソナルコンピュータである。そして、このコンピュータＰ３は、前記サーバ装置Ｐ３と略同様に、キーボード、マウス、ディスプレイ、ＣＰＵ，内部メモリ、ＨＤ等の外部記憶装置、通信インターフェース等を備えている。ここで情報提供者とは、例えば、飲食店などを経営する各種企業であり、自社広告などの情報を情報受給者に向けて提供すると共に、情報受給者の嗜好やニーズを得たいと願っている者であり、各種提供情報を後述するサーバ装置Ｐ２に送信する者をいうが、このサーバ装置Ｐ２の管理者がその役割を兼ねてもよい。
【００１７】
このように本システムは、ネットワークＮ等の通信ネットワークを介して互いに通信可能に接続した情報受給者装置Ｐ１、サーバ装置Ｐ２、情報提供者装置Ｐ３を利用するものである。
【００１８】
図３は、このように構成されたシステムの機能ブロックを示したものである。
【００１９】
情報受給者装置Ｐ１は、その記憶装置等に記憶させたプログラム等によってＣＰＵや周辺機器を作動させ、電子メール送受信手段１０、表示手段１１、Ｗｅｂページ送受信手段１２としての機能を発揮する。
【００２０】
各手段を説明すると、電子メール送受信手段１０は、通信インターフェース等を用いてサーバ装置Ｐ２との間で電子メールの送受信を行い得る機能を有するもので、情報を得るためのきっかけとなる電子メールを送信し得るものである。
【００２１】
表示手段１１は、前記電子メール受信手段１０より受信した内容等を表示するディスプレイ等から構成されるもので、表示指示信号に基づいて各種内容を表示する機能を有する。
【００２２】
Ｗｅｂページ送受信手段１２は、通信インターフェース等を用いてサイトへアクセス可能とするもので、Ｗｅｂページの受信や、アンケートへの回答内容等を送信できる機能を有する。
【００２３】
次に、サーバ装置Ｐ２は、その記憶装置等に記憶させたプログラム等によってＣＰＵ１０４や周辺機器を作動させ、電子メール送受信手段２０、アクセスログ収集手段２１、返信メール作成手段２２、情報蓄積手段２３、Ｗｅｂページ送受信手段２４、情報受給者情報収集確認手段２５、情報提供手段２６、アンケート作成手段２７、情報受付手段２８、情報受給者情報送信手段３１としての機能を発揮する。なお、前記プログラムは、例えばＣＤ−ＲＯＭのようなコンピュータ読みとり可能な記録媒体に記録しておき、サーバ装置Ｐ２にインストールするようにしている。また、前記プログラムを有するホストコンピュータ等からダウンロードすることによりインストールしてもよい。
【００２４】
各手段を説明すると、電子メール送受信手段２０は、前記通信インターフェース等から構成されており、情報受給者からの情報を要求する旨の電子メールを受信したり、この電子メール送信元の情報受給者装置Ｐ１へと電子メールを送信するためのものである。
【００２５】
アクセスログ収集手段２１は、前記電子メール送受信手段２０によって受信した電子メールに関するアクセスログを後述する情報蓄積手段２３に記憶する。ここで、アクセスログとは、アクセス日時、電子メールアドレスなど、前記情報受給者から送信されてきた電子メールから把握できる要素である。
【００２６】
返信メール作成手段２２は、前記電子メール送受信手段２０によって受信された電子メールに対する返信メールを作成する手段をいう。例えば、情報受給者が送信した電子メールアドレス等より、必要とする情報の抽出およびその情報に関する返信メール内容を後述する情報蓄積手段２３より読み出して返信メールを作成する。また、この返信メール作成手段２２は、電子メール本文内に特定サイトのＵＲＬをリンクを張った状態に張り付ける機能を有する。
【００２７】
情報蓄積手段２３は、情報提供サービスにおいて提供する情報等を蓄積するものであり、前記外部記憶装置の所定領域に設定してある。本実施の形態においては、情報受給者情報領域２３１、アンケート情報領域２３２、アンケート作成情報領域２３３、提供情報領域２３４、プログラム情報領域２３５等の情報を所定の領域を設けて記憶している。
【００２８】
Ｗｅｂページ送受信手段２４は、通信インターフェース等を用いて構成されるものであり、情報受給者装置Ｐ１からの要求に応じて所定のＷｅｂページを送信したり、Ｗｅｂページ上に書き込まれた情報受給者のアンケート回答を受信したりする機能を有している。
【００２９】
情報受給者情報収集確認手段２５は、例えば、Ｗｅｂページ上に書き込まれた情報受給者のアンケート回答を受信したことを確認することにより、確実に情報提供者の望む情報受給者情報を収集できたかを確認する機能を有するもので、確認後、情報提供手段２６に対して情報提供を行う旨の指示をする。
情報提供手段２６は、前記情報受給者情報収集確認手段２５からの指示を受けて情報蓄積手段２３から所定の提供情報を抽出し、特定の相手先に情報を提供するための手段である。また、情報受給者装置Ｐ１の機種を識別する機種識別手段や、所定の提供情報を機種固有の表示形式にあわせて変換する変換手段としての機能も備えている。
アンケート作成手段２７は、情報受給者に関する情報を収集するために利用されるアンケートを作成するものであり、所定のフォーマットに従って情報提供者の希望するアンケートを作成していくものである。
情報受付手段２８は、例えば、懸賞情報や広告情報などの情報受給者に対して提供される提供情報や、アンケートを作成する際する必要となる情報等を受け付けるものである。これらの情報は、電子メール形式やＷｅｂページ形式等の適切手段により受け付ける。
【００３０】
情報受給者情報送信手段２９は、アクセスログやアンケート回収情報など情報受給者に関する情報を情報提供者装置Ｐ３へ送信するためのものである。
【００３１】
情報提供者装置Ｐ３は、その記憶装置等に記憶させたプログラム等によってＣＰＵや周辺機器を作動させ、情報送信手段３０、情報受給者情報受信手段３１としての機能を発揮する。
【００３２】
各手段を説明すると、情報送信手段３０は、サーバ装置Ｐ２に対して送信する広告情報、クーポン情報などの自社に関する提供情報や、アンケート作成に関する回答情報などを送信するもので、電子メール形式やＷｅｂページ形式にて送信するものである。
【００３３】
情報受給者情報受信手段３１は、サーバ装置Ｐ２の情報蓄積手段２３に蓄積されたアクセスログやアンケート結果などの情報受給者に関する情報を受信するものである。
【００３４】
図４は、このサーバ装置Ｐ２の情報蓄積手段２３に記憶されている情報を模式的に示したものである。
【００３５】
この情報蓄積手段２３には、情報受給者情報領域２３１、アンケート情報領域２３２、アンケート作成情報領域２３３、提供情報領域２３４、プログラム情報領域２３５等の各領域が設けられており、様々な情報を記憶している。
【００３６】
情報受給者情報を記憶する領域２３１には、情報提供者である企業等にとって有用な情報受給者に関する情報が蓄積されており、具体的には、その情報受給者の電子メールアドレス２３１ａ、アクセスログであるアクセス日時２３１ｂ、キャリア２３１ｃ、その情報受給者装置Ｐ１の機種２３１ｄ、アンケート結果２３１ｅなどを記憶している。
【００３７】
アンケート情報領域２３２のには、電子メールアドレス２３２ａ、そのアンケートに関する件名２３２ｂ、アンケートサイトのＵＲＬ２３２ｃ、そのサイトに掲載されるアンケート内容２３２ｄ等が記憶されている。このアンケート内容２３２ｄは、そのアンケートサイトのタイトル、質問、回答枝、このアンケートサイトを検索する際のキーワード、表示する際の画像などが関連づけて記憶されている。
【００３８】
アンケート作成情報領域２３３のには、前記アンケート作成手段２７を用いてアンケートを作成する際に用いられるアンケート要素を種別毎に記憶しておくもので、これら要素を組み合わせてアンケートが作成される。具体的には、タイトル２３３ａ、質問２３３ｂ、選択式にするか記述式にするか等の回答タイプ２３３ｃ、回答枝２３３ｄ、キーワード２３３ｅなどが記憶されている。
【００３９】
提供情報領域２３４には、情報受給者が提供情報を受ける契機となる電子メールの宛先を示す電子メールアドレス２３４ａや、件名２３４ｂ、各情報提供者が運営し、その提供情報を掲載するサイトのＵＲＬ２３４ｃ、情報受給者へ返信する際に掲載される返信メール文章２３４ｄ、アンケートサイトのＵＲＬ２３４ｅ等である。
【００４０】
また、その他プログラム情報領域２３５の領域には、ＣＰＵ１０４からの指令に基づいて各種ハードウエアを作動させるためのプログラムを記憶している。
【００４１】
次に、このように構成されたシステムによって、情報受給者からの情報を入手すると共に、情報受給者に向けて提供情報を送信するまでのフローについて、図５を参照して説明する。
【００４２】
ここで、企業等が提供する情報にアクセスするための電子メールアドレスは、広告等を用いて事前に情報受給者に知らされている。
【００４３】
まず、提供情報を得たいと望む情報受給者は、携帯電話などの情報受給者装置Ｐ１を用いて前記電子メールアドレス宛に電子メールを送信する（ステップＳ１）。そして、この電子メールを受信したサーバ装置Ｐ２は（ステップＳ２）、アクセスログ収集手段２１を用いて、その電子メールより読みとれるアクセスログを前記情報蓄積手段２３の所定領域に記憶する（ステップＳ３）。アクセスログには、例えば、アクセス日時、電子メールアドレスなどが含まれる。更に、その受信した電子メールアドレスより、情報提供者装置Ｐ３のキャリアを識別する（ステップＳ４）。
【００４４】
次に、返信メール作成手段２２を用いて、数ある提供情報の中から、その電子メールアドレスに対応して蓄積された情報を呼び出し、情報受給者装置Ｐ１へ返信する電子メールを作成する（ステップＳ５）。具体的には、受信電子メールアドレスを識別子として情報蓄積手段２３に蓄積された情報を呼び出し、定形の返信メール文章を掲載した電子メールを作成する。その際、アンケートを収集するためのサイトへリンクを張ったアンケートＵＲＬを本文中に織り交ぜる。このアンケートサイトは、情報提供者が希望する情報受給者に関する情報を収集するためのサイトとなっている。
【００４５】
そして、情報受給者装置Ｐ１に返信するという形式で電子メールを送信する（ステップＳ６）。情報受給者装置Ｐ１は、サーバ装置Ｐ２からの電子メールを受信すると（ステップＳ７）、図６に示すように、ディスプレイ等の表示手段１１にその内容を表示する。そして、電子メール内に記載されたアンケートＵＲＬを情報受給者が押下することにより（ステップＳ８）、アンケートサイトへと飛び、図７にしめすようなアンケート内容を画面に表示する（ステップＳ９）。すると、その画面の案内に従って情報受給者は、そのサイト上に掲載されたアンケートに順次答えていき、その回答を送信する（ステップＳ１０）。
【００４６】
これに対してサーバ装置Ｐ２が、そのアンケート回答を受信すると（ステップＳ１１）、情報受給者情報を収集したか否かを確認し（ステップＳ１２）、そして、そのアンケート回答を情報受給者情報として情報蓄積手段２３の情報受給者情報領域２３１の領域に蓄積する（ステップＳ１３）。その後、本来情報受給者が望んでいた提供情報を掲載した提供情報ＵＲＬを情報蓄積手段２３より抽出すると共に、ヘッダーより情報受給者装置Ｐ１の機種を識別する。そして、その機種固有の表示形式にあわせた提供情報を掲載したＷｅｂページを情報受給者装置Ｐ１へと送信する（ステップＳ１５）。
【００４７】
情報受給者装置Ｐ１は提供情報サイトへとアクセスして、Ｗｅｂページ上の提供情報を受信することにより（ステップＳ１６）、図８に示すようなサイト上の提供情報を画面に表示する（ステップＳ１７）。
【００４８】
次に、情報提供を行いたい企業等が、提供情報を掲載するサイトの登録や、各情報提供者の要望にあわせたアンケートを作成する際の工程について概略を説明する。
【００４９】
最初に、情報提供者は、情報提供者装置Ｐ３を用いてサーバ装置Ｐ２側が運営するサイトにアクセスする。そして、このサイトにアクセスすると、情報提供者装置Ｐ３側に図９に示すようなフォーマット画面が表示される。その後、当該情報提供者はこの画面の項目に従って、情報受給者が電子メールを送信する宛先となる電子メールアドレス、情報提供者が提供する情報を掲載するサイトのＵＲＬ、件名、返信メールの本文などを入力し登録ボタンを押下してサーバ装置Ｐ２へと送信する。すると、それらの情報を受信したサーバ装置Ｐ２は、情報蓄積手段２３に設けた提供情報領域２３４の領域に受信情報を提供情報毎に蓄積する。
【００５０】
次に、アンケート作成をする際には、「アンケート検索」、「新規アンケート作成」、「質問検索」、「新規質問」などの各メニュー項目に従ってアンケートを作成していく。
【００５１】
具体的には、サーバ装置Ｐ２のアンケート作成情報領域２３３の領域に記憶された各アンケート要素、例えば、タイトル２３３ａ、質問２３３ｂ、選択式にするか記述式にするか等の回答タイプ２３３ｃ、回答枝２３３ｄ、キーワード２３３ｅなどを検索及び選択して組み合わせることによりアンケートを作成する。その他、各アンケート要素を新規に登録してアンケートを作成する場合もある。
【００５２】
また、このアンケート内容は適時変更可能である。
【００５３】
更に、情報蓄積手段２３に蓄積されたアクセスログやアンケート結果などの情報受給者に関する情報は、定期的に又は情報提供者からの要求に応じて情報提供者装置Ｐ３に送信される。
【００５４】
以上のような構成により、情報受給者にとって面倒なＵＲＬの入力などの手間を省き、メールを送信するという簡易な動作のみで希望するサイトへのアクセスを可能とする。そして、アクセスを簡易とすることで情報受給者がそのサイトへ訪れる機会を飛躍的に増加させる。更に、必ず情報受給者に関する情報を集められるアンケートサイトを通過させることにより、確実且つ効率よく情報提供者にとって有用な情報を収集できる。
【００５５】
また、情報受給者装置Ｐ１の機種を識別する識別し、その機種の表示形式に合わせた情報を送信することにより、情報受給者にとって見やすく情報を提供することができる。
【００５６】
更に、前記情報受給者に関する情報収集をアンケート形式で行うことで、希望する情報を効率よく情報を収集できる。また、サイト上で容易にアンケート内容を変更できることにより、リアルタイムに希望する収集する項目を変更できる。
【００５７】
【発明の効果】
本発明は、以上説明したような構成で実施され以下に記載されるような効果を奏する。
【００５８】
すなわち、本発明は、そこで本発明は、情報受給者からの電子メールを受信することにより、情報受給者情報を収集するためのサイトへリンクを張ったＵＲＬと記載した電子メールを情報受給者に送信する。そして、情報受給者情報の収集を確認したことを条件にして、情報受給者の希望する情報を提供するようにしている。
【００５９】
これにより、情報受給者にとって面倒なＵＲＬの入力などの手間を省き、メールを送信するという簡易な動作のみで希望するサイトへのアクセスを可能とすることで、情報受給者がそのサイトへ訪れる機会を飛躍的に増加させる。そして、必ず情報受給者に関する情報を集められるサイトを通過させることにより、確実且つ効率よくサイト運営者にとって有用な情報を収集できる。
【００６０】
ま、情報受給者装置の機種を識別する識別し、その機種の表示形式に合わせた情報を送信することにより、情報受給者にとって見やすく情報を提供することができる。
【００６１】
更に、前記情報受給者に関する情報収集をアンケート形式で行うことで、効率よく情報を収集できる。
【図面の簡単な説明】
【図１】本発明の実施の形態を示すシステム概略図。
【図２】同実施の形態におけるサーバ装置の機器構成。
【図３】同実施の形態におけるシステム機能ブロック図。
【図４】同実施の形態におけるサーバ装置のメモリマップ。
【図５】同実施の形態におけるサーバ装置のシステムフロー。
【図６】同実施の形態における情報受給者装置の画面図。
【図７】同実施の形態における情報受給者装置の画面図。
【図８】同実施の形態における情報受給者装置の画面図。
【図９】同実施の形態における情報提供者装置の画面図。
【符号の説明】
Ｐ１・・・情報受給者装置
Ｐ２・・・サーバ装置
２０・・・電子メール受信手段（電子メール送受信手段）
２０・・・電子メール送信手段（電子メール送受信手段）
２５・・・情報受給者情報収集確認手段
２６・・・提供情報送信手段（Ｗｅｂページ送受信手段）
【図１】
2004030230.tif 000003
【図２】
2004030230.tif 000004
【図３】
2004030230.tif 000005
【図４】
2004030230.tif 000006
【図５】
2004030230.tif 000007
【図６】
2004030230.tif 000008
【図７】
2004030230.tif 000009
【図８】
2004030230.tif 000010
【図９】
2004030230.tif 000011